(57)【要約】【課題】医療従事者が総合的な観察を行い易く、症状判断を行い易い生体情報モニを提供すること。【解決手段】複数のトレンドグラフを時間軸と直交する方向に並べて表示するとともに、複数のトレンドグラフの同一時点を貫くように前記複数のトレンドグラフを貫通して延びる線状のポインタＡ１を表示し、線状のポインタＡ１と複数のトレンドグラフとが交差する交点に対応する計測値を記憶部から読み出して、この複数の計測値を複数のトレンドグラフと同一画面上に表示するようにした。【選択図】図２
2015029566.tif 000002
【特許請求の範囲】
【請求項１】
複数種類の生体情報についての複数のトレンドグラフを得るトレンドグラフ取得部と、
前記トレンドグラフ取得部によって得られた前記複数のトレンドグラフを時間軸と直交する方向に並べて表示するとともに、前記複数のトレンドグラフの同一時点を貫くように前記複数のトレンドグラフを貫通して延びる線状のポインタを表示する表示部と、
を具備し、
前記表示部は、前記線状のポインタが示す時点での前記複数のトレンドグラフの複数の値を前記複数のトレンドグラフと同一画面上に表示する、
生体情報モニタ。
【請求項２】
前記表示部は、前記トレンドグラフ取得部によって得られた前記複数のトレンドグラフのうち、異なるパラメータに関する２つ以上のトレンドグラフを、同一座標上にオーバーラップさせて表示する、
請求項１に記載の生体情報モニタ。
【請求項３】
前記表示部は、前記複数のトレンドグラフ及び前記複数の値と同一画面上に、カレント波形を表示する、
請求項１又は請求項２に記載の生体情報モニタ。
【請求項４】
前記表示部が表示する前記複数のトレンドグラフは、ショートトレンドグラフである、
請求項１から請求項３のいずれか一項に記載の生体情報モニタ。
【請求項５】
画面上に、複数種類の生体情報についての複数のトレンドグラフを時間軸と直交する方向に並べて表示するとともに、前記複数のトレンドグラフの同一時点を貫くように前記複数のトレンドグラフを貫通して延びる線状のポインタを表示し、
前記線状のポインタが示す時点での前記複数のトレンドグラフの複数の値を前記複数のトレンドグラフと同一画面上に表示する、
生体情報モニタにおける表示方法。
【発明の詳細な説明】
【技術分野】
【０００１】
本発明は、生体情報モニタ、及び生体情報モニタにおける表示方法に関する。
【背景技術】
【０００２】
生体情報モニタは、心電図、血圧及び酸素飽和度などの生体情報を計測し、その計測値及び波形をディスプレイに一括表示することができる。生体情報モニタの例としては、病室などのベッドサイドに設置して使用されるベッドサイドモニタやナースステーションなどに設置して使用されるセントラルモニタなどがある。
【０００３】
生体情報モニタに表示された計測値及び波形を見ることで、医療従事者（医師及び看護師など）は、患者の容体を把握することができる。また、生体情報モニタは一般に、計測値の異常などが生じたときにアラーム音などにより異常を通知するアラーム機能を有するため、医療従事者は、患者の異常を即座に知ることができる。
【０００４】
生体情報モニタには、上記アラーム機能のほかにも、過去の所定期間における計測値の経過をトレンドグラフとして表示するトレンドグラフ表示機能や、不整脈解析を行う機能など、様々な機能が付加されており、多機能化及び高機能化が進んでいる。トレンドグラフ表示機能については、例えば特許文献１に記載されている。
【０００５】
従来の生体情報モニタにおいては、上記のように多機能化及び高度化が進んでいるだけでなく、画面の表示態様も多様化してきている。例えば特許文献２記載の装置では、アラームの種別又は緊急度を示す画面を表示させるようになっている。
【先行技術文献】
【特許文献】
【０００６】
【特許文献１】特開２００４−２４８７９３号公報
【特許文献２】特開２００８−２００１１１号公報
【発明の概要】
【発明が解決しようとする課題】
【０００７】
上述したように、従来の生体情報モニタはアラーム機能を有するので、医療従事者は、生体情報に異常があり、患者が重篤な状態であることを、アラームによって容易に知ることができ、非常に便利である。
【０００８】
しかしながら、実際には、被検者の症状の程度や傾向、原因などの判断は、医療従事者がディスプレイに表示されたカレント波形や計測値、トレンドグラフなどを総合的に観察することで行われる。
【０００９】
本発明は、医療従事者が総合的な観察を行い易く、症状判断を行い易い生体情報モニタ、及び生体情報モニタの表示方法を提供する。
【課題を解決するための手段】
【００１０】
本発明の生体情報モニタの一つの態様は、
複数種類の生体情報についての複数のトレンドグラフを得るトレンドグラフ取得部と、
前記トレンドグラフ取得部によって得られた前記複数のトレンドグラフを時間軸と直交する方向に並べて表示するとともに、前記複数のトレンドグラフの同一時点を貫くように前記複数のトレンドグラフを貫通して延びる線状のポインタを表示する表示部と、
を具備し、
前記表示部は、前記線状のポインタが示す時点での前記複数のトレンドグラフの複数の値を前記複数のトレンドグラフと同一画面上に表示する。
【発明の効果】
【００１１】
本発明によれば、ユーザが複数のトレンドグラフを見ながら線状のポインタを操作して、トレンドグラフのある点（時点に相当する）を指定すると、指定点に対応するトレンドグラフの値がトレンドグラフと同一画面上に表示される。このように、複数のトレンドグラフと、そのトレンドグラフ上の指定点に対応する実際の値が同一画面上に一括して表示されるので、医療従事者は生体情報を総合的に観察し易くなり、症状判断を行い易くなる。
【図面の簡単な説明】
【００１２】
【図１】実施の形態に係る生体情報モニタの構成を示すブロック図
【図２】実施の形態による表示画像を示す図
【図３】オーバーラップされたトレンドグラフを示す図
【発明を実施するための形態】
【００１３】
以下、本発明の実施の形態について、図面を参照して詳細に説明する。
【００１４】
＜全体構成＞
図１は、本実施の形態の生体情報モニタ１００の構成を示すブロック図である。生体情報モニタ１００は、コネクタ部１０１を有する。コネクタ部１０１は、患者に装着された生体情報検出部を生体情報モニタ１００に接続するためのコネクタである。コネクタ部１０１には、心電図を検出するための心電電極１１１、血圧を検出するための血圧測定用カフ１１２、体温を検出するための体温センサ１１３、ＳｐＯ２を検出するためのＳｐＯ２センサ１１４、及び心拍出量を検出するための心拍出量センサ１１５等の生体情報検出部が接続される。勿論、コネクタ部１０１には、これ以外の生体情報検出部が接続されてもよい。コネクタ部１０１は、接続された生体情報検出部と計測処理部１０２との間のインタフェースとして機能する。
【００１５】
計測処理部１０２は、所定の計測処理を実行することで、コネクタ部１０１に接続された生体情報検出部（心電電極１１１、血圧測定用カフ１１２、体温センサ１１３、ＳｐＯ２センサ１１４及び心拍出量センサ１１５）を用いて患者の生体情報を計測する。なお、上記生体情報検出部を用いた各種生体情報の計測方法については従来周知のものを適用可能であるため、ここではその詳細な説明を省略する。また、計測処理部１０２は、計測により得た生体情報のデータを記憶部１０３に記憶させる。具体的には、記憶部１０３には計測結果として計測値が記憶される。
【００１６】
カレント波形形成部１０４は、計測処理部１０２で得られた計測結果を用いて各生体情報のカレント波形を形成する。トレンドグラフ形成部１０５は、記憶部１０３に記憶されている計測処理部１０２の計測結果（計測値）を用いて、血圧、心拍数、ＳｐＯ２などの各パラメータに関するトレンドグラフを形成する。本実施の形態の場合、トレンドグラフ形成部１０５は、各パラメータについて３０分の時間長のショートトレンドグラフを形成するようになっている。
【００１７】
表示制御部１０６は、カレント波形形成部１０４で形成されたカレント波形、トレンドグラフ形成部１０５で形成されたトレンドグラフ、及び記憶部１０３に記憶されている計測値を用いて、ディスプレイ１０７に表示させるための表示画像を形成し、その表示画像をディスプレイ１０７に表示させる。
【００１８】
ディスプレイ１０７は、例えばタッチパネル付き液晶表示器であり、生体情報を表示する表示機能を有するだけでなく、操作者による入力操作を受け付ける入力部としての機能も有する。具体的には、ディスプレイ１０７は、操作者によるタッチ操作に応じた操作信号を表示制御部１０６に送出することにより、ディスプレイ１０７の表示形式を変更できる。また、ディスプレイ１０７は、操作者によるタッチ操作に応じた操作信号を計測処理部１０２に送出することにより、計測モードの変更を行うことができる。
【００１９】
操作部１０８は、生体情報モニタ１００の筐体前面に設けられた操作ボタン（例えば電源スイッチ、測定開始／停止ボタン、データ記録ボタンなど）、及び生体情報モニタ１００に接続されたマウスやキーボードなどの操作入力部を含む。操作部１０８からの操作信号により、表示制御部１０６での表示制御動作や、計測処理部１０２での計測動作が制御される。
【００２０】
アラームインジケータ１０９は、生体情報モニタ１００の筐体上部に設けられており、計測処理部１０２によって生体情報に異常が生じたと検知されたときに例えば赤色に発光するようになっている。
【００２１】
＜表示画像＞
次に、図２及び図３を用いて、生体情報モニタ１００のディスプレイ１０７に表示される、本実施の形態における生体情報の表示形態について説明する。
【００２２】
図２は、ディスプレイ１０７に表示された表示画像の例を示す。表示画像は、大きく分けて、カレント波形表示エリア２０１と、ショートトレンド表示エリア２０２と、計測値表示エリア２０３と、メニューバー表示エリア２０４と、から構成されている。勿論、これらのエリアに加えて、患者情報表示エリアなどを表示してもよい。
【００２３】
カレント波形表示エリア２０１には、カレント波形形成部１０４によって形成されたカレント波形が表示される。図２の例では、上から順に、心電図（ＥＣＧ１、ＥＣＧ２）、酸素飽和度（ＳｐＯ２）、観血血圧（ＡＲＴ）、中心静脈圧（ＣＶＰ）、呼吸気中の炭酸ガス濃度（ＣＯ２）及び呼吸気中のセボフルラン濃度（ＳＥＶ）の各波形が、表示されている。因みに、カレント波形表示エリア２０１では、横軸の２５［ｍｍ］が１［秒］を表す。
【００２４】
ショートトレンドグラフ表示エリア２０２には、トレンドグラフ形成部１０５によって形成されたトレンドグラフが表示される。
【００２５】
本実施の形態の場合、ショートトレンドグラフ表示エリア２０２の一番上の位置には、異なるパラメータに関する２つ以上のトレンドグラフを同一座標上にオーバーラップさせて表示した、トレンドグラフオーバーラップ表示エリア２０２ａ、２０２ｂが表示されている。トレンドグラフオーバーラップ表示エリア２０２ａには、血圧のトレンドグラフと、心拍数のトレンドグラフと、がオーバーラップして表示されている。トレンドグラフオーバーラップ表示エリア２０２ｂには、酸素飽和度（ＳｐＯ２）のトレンドグラフと、呼吸気中の炭酸ガス濃度（ＣＯ２）のトレンドグラフと、呼吸数（ＲＲ）のトレンドグラフと、がオーバーラップして表示されている。トレンドグラフオーバーラップ表示エリア２０２ａについては、図３を用いて後で詳しく説明する。
【００２６】
トレンドグラフオーバーラップ表示エリア２０２ａの下には、酸素飽和度（ＳｐＯ２）、呼吸気中の炭酸ガス濃度（ＣＯ２）、呼吸数（ＲＲ）、主肺動脈圧（ＰＡＰ）、観血血圧（ＡＲＴ）、中心静脈圧（ＣＶＰ）、体温（Ｔ２：例えば直腸温）、呼吸気中の炭酸ガス濃度（ＣＯ２）、の各トレンドグラフが順次表示される。
【００２７】
図からも分かるように、ショートトレンドグラフ表示エリア２０２には、トレンドグラフ形成部１０５によって形成された複数のトレンドグラフが時間軸と直交する方向に並べて表示されている。加えて、ショートトレンドグラフ表示エリア２０２には、複数のトレンドグラフの同一時点を貫くように前記複数のトレンドグラフを貫通して延びる線状のポインタＡ１が表示される。
【００２８】
線状のポインタＡ１は、ユーザが指でポインタＡ１の上端の「＋」印にタッチしながら横方向に移動させると、これに応動して横方向に移動する。ポインタＡ１の横方向の位置は時点を表す。表示制御部１０６は、ポインタＡ１の横方向の位置に対応する時点の各生体情報の計測値を記憶部１０３から読み出して、指定計測値Ａ２としてディスプレイ１０７に表示する。このように、表示制御部１０６及びディスプレイ１０７は、線状のポインタＡ１が示す時点での複数のトレンドグラフの複数の計測値を記憶部１０３から取得し、当該複数の計測値を複数のトレンドグラフと同一画面上に表示するようになっている。
【００２９】
図２の表示例では、指定計測値Ａ２として、上から順に、心拍数「１１３」、観血血圧「１３０／９０（１０７）」、非観血血圧「１１９／９５（１１０）」、酸素飽和度「９１」、呼吸気中の炭酸ガス濃度「３８」、１分間での呼吸回数「１５」、主肺動脈圧「１９／７（１３）」、中心静脈圧「６」、観血血圧「１３０／９０（１０７）」、中心静脈圧「６」、体温「３７．３」、呼吸気中の炭酸ガス濃度「３８」が表示されている。
【００３０】
これにより、ユーザは、複数のトレンドグラフを見ながら被検者を診断できるのに加えて、トレンドグラフ上で気になる箇所があれば、その箇所の計測値を即座に表示させることができるようになる。この結果、ユーザ（医療従事者）は生体情報を総合的に観察し易くなり、症状判断を行い易くなる。
【００３１】
因みに、図２の例では、トレンドグラフとして３０分間のショートトレンドグラフが表示されている。また、ショートトレンドグラフの分解能（サンプリング間隔）は５秒とされている。分解能はこれ以外でもかまわないが、ショートトレンド波形を滑らかに表示できる程度の分解能であることが好ましい。
【００３２】
なお、カレント波形、トレンドグラフ及び計測値は、生体情報の種別（すなわちパラメータ）に応じて色分けされている。例えば、血圧に関するものは赤色、心電図・心拍に関するものは緑色、血液に関するものは黄色で表示されている。これにより、ユーザは、どのグラフがどの生体情報を示しているかをひと目で認識できる。
【００３３】
計測値表示エリア２０３には、心拍数（ＨＲ）の平均値、酸素飽和度（ＳｐＯ２）、灌流指標（ＰＩ：Perfusion Index）、非観血血圧（ＮＩＢＰ）、観血血圧（ＡＲＴ）、中心静脈圧（ＣＶＰ）、体温（Ｔ１：例えば皮膚温、Ｔ２：例えば直腸温）、呼吸気中の炭酸ガス濃度（ＣＯ２）、呼吸数、呼吸気中のセボフルラン濃度（ＳＥＶ）、呼吸気中の酸素濃度（Ｏ２）、呼吸気中の笑気ガス濃度（Ｎ２Ｏ）、の各計測値が表示される。因みに、計測値表示エリア２０３に表示される計測値は、現時点の計測値、又は、平均値などの代表値である。
【００３４】
メニューバー表示エリア２０４には、メニューバーが表示される。メニューバー表示エリア２０４において、メニューバーを構成する「ホーム」及び「メニュー」などの各矩形領域は、入力領域となっている。例えば、「メニュー」という表記を有する箇所に触れると、モニタリング全般の設定操作メニューを提示する設定操作用画像がサブ画像として表示され、モニタリング全般の設定操作が可能となる。
【００３５】
ここで、表示対象の生体情報の種類及び表示位置は、タッチパネル構成のディスプレイ１０７や操作部１０８を用いた、設定操作により適宜変更可能である。
【００３６】
次に、図３を用いて、トレンドグラフオーバーラップ表示エリア２０２ａについて説明する。
【００３７】
トレンドグラフオーバーラップ表示エリア２０２ａには、観血血圧（ＡＲＴ）の最低血圧３０１、最高血圧３０２、平均血圧３０３のショートトレンドグラフと、心拍数（ＨＲ）４０１のショートトレンドグラフと、がオーバーラップして表示されている。つまり、トレンドグラフオーバーラップ表示エリア２０２ａには、血圧をパラメータとしたトレンドグラフと、心拍数をパラメータとしたトレンドグラフと、がオーバーラップして表示されている。これにより、トレンドグラフオーバーラップ表示エリア２０２ａを見れば、ショートトレンドグラフ上での血圧の変化傾向と心拍数の変化傾向との相対関係をひと目で確認できる。因みに、心拍数は基本的には脈拍数と同じ値を示すので、心拍数を脈拍数と読み換えてもよい。
【００３８】
なお、図３の例では、非観血血圧（ＮＩＢＰ）を示す縦棒５０１も表示されている。縦棒５０１の下端が最低血圧を示し、上端が最高血圧を示す。図３の例では、非観血血圧（ＮＩＢＰ）を示す縦棒５０１が３０分の間に８個表示されている。これにより、図３の例では、観血血圧の変化傾向と心拍数の変化傾向との関係に加えて、非観血血圧の変化傾向と心拍数の変化傾向との関係もひと目で確認できる。非観血血圧の計測間隔は、あらかじめプリセットされた、連続・１分・２分・２．５分・５分…といった値をディスプレイ１０７のタッチパネルまたは操作部１０８を通じて選択可能である。
【００３９】
ここで、血圧値のトレンドグラフと、心拍数のトレンドグラフとを同一座標上にオーバーラップさせて表示するにあたっては、オーバーラップのさせ方が重要である。勿論、時間軸である横軸は、血圧と心拍数とで同一となるように合わせる。縦軸は、血圧の単位がｍｍＨｇであり、心拍数の単位がｂｐｍであるので単位が異なる。ただし、血圧と心拍数の場合は、単位は異なっていても数値同士が比較的近いので、縦方向の調整は必要ない。
【００４０】
これに対して、オーバーラップさせるパラメータの組合せによってはトレンドグラフ同士が大きく離れてしまい、その相対関係を把握し難くなるため、縦方向の調整が必要な場合もある。この調整は、例えば、各パラメータのトレンドグラフの始点が縦軸方向で同一となるように縦軸方向の位置合わせを行えばよい。また、調整は、例えば、パラメータ毎の基準値（例えば平均値など）を設けておき、この基準値が一致するように、トレンドグラフを縦方向にシフトすることで行うようにしてもよい。このような調整を行うことで、トレンドグラフを互いに近づけて表示できるので、トレンドグラフ間の相対関係が把握し易くなる。
【００４１】
医師は、図２及び図３の表示を見ることで、例えば以下の（１）〜（４）のような場合分けを行って、的確かつ迅速な患者の症状判断を行うことができるようになる。
【００４２】
（１）心拍数及び血圧が共に上昇している場合。この場合は、交感神経に起因していることが多い。例えば麻酔覚醒時にこのような症状が現れ、対処の緊急度は低いと判断できる。
【００４３】
（２）心拍数及び血圧が共に下降している場合。この場合は、迷走神経に起因していることが多い。例えば麻酔中にこのような症状が現れ、最悪の場合には心停止する危険があるので注意が必要である。
【００４４】
（３）心拍数は上昇しているが、血圧は下降している場合。この場合は、患者が出血などに起因するショック症状を起こしていることが多い。患者は、重篤であり、対処の緊急度は非常に高いと判断できる。
【００４５】
（４）心拍数は下降しているが、血圧は上昇している場合。この場合は、血管収縮に起因していることが多い。対処の緊急度は低いと判断できるが、脳内亢進も考えられるので、注意が必要である。
【００４６】
本実施の形態のように、トレンドグラフをオーバーラップさせると、特に上記（３）や（４）のように、一方の波形が上昇し他方の波形が下降していること、及び、何時そのような状況になったかを、すぐに見つけることができるようになる。
【００４７】
なお、上述の実施の形態では、オーバーラップするトレンドグラフが心拍数のトレンドグラフと血圧のトレンドグラフである場合について述べたが、オーバーラップするトレンドグラフはこれに限らない。例えば以下のようなトレンドグラフ同士をオーバーラップさせて表示すれば、症状判断のサポートとなり得る。
【００４８】
・心電図のＳＴの変化を表すトレンドグラフと心拍数のトレンドグラフとをオーバーラップさせて表示する。この場合、医療従事者は、ＳＴが下降し、心拍数が上昇しているときには、患者の心臓の状態が悪いと判断できる。
【００４９】
・血液の灌流指標（ＰＩ：Perfusion Index）の変化を表すトレンドグラフと血圧のトレンドグラフとをオーバーラップさせて表示する。この場合、医療従事者は、血圧の灌流指標が変化していないにもかかわらず、血圧が変化しているときには、血圧の変化の原因が血管以外にあると判断できる。
【００５０】
・肺の換気量のトレンドグラフと肺からのＣＯ２濃度のトレンドグラフとをオーバーラップさせて表示する。この場合、医療従事者は、換気量が上昇しているにもかかわらず、ＣＯ２濃度が上昇しないときには、肺でのガス交換がうまくいっていないと判断できる。
【００５１】
・肺の換気量のトレンドグラフとＳｐＯ２のトレンドグラフとをオーバーラップさせて表示する。この場合、医療従事者は、換気量が上昇しているにもかかわらず、ＳｐＯ２が上昇しないときには、肺で酸素がうまく取り込めていないと判断できる。
【００５２】
・肺に送られる酸素濃度のトレンドグラフとＳｐＯ２のトレンドグラフとをオーバーラップさせて表示する。この場合、医療従事者は、与えている酸素濃度が上昇しているにもかかわらず、ＳｐＯ２が上昇しないときには、肺で酸素がうまく取り込めていないと判断できる。
【００５３】
以上説明したように、本実施の形態によれば、複数のトレンドグラフを時間軸と直交する方向に並べて表示するとともに、複数のトレンドグラフの同一時点を貫くように前記複数のトレンドグラフを貫通して延びる線状のポインタＡ１を表示し、線状のポインタＡ１が示す時点での前記複数のトレンドグラフの複数の計測値を記憶部１０３から読み出して、この複数の計測値を複数のトレンドグラフと同一画面上に表示するようにした。これにより、ユーザは、複数のトレンドグラフを見ながら被検者を診断できるのに加えて、トレンドグラフ上で気になる箇所があれば、その箇所の計測値を即座に表示させることができるようになる。この結果、ユーザ（医療従事者）は生体情報を総合的に観察し易くなり、症状判断を行い易くなる。
【００５４】
また、複数のトレンドグラフのうち、異なるパラメータに関する２つ以上のトレンドグラフを、同一座標上にオーバーラップさせて表示するようにしたことにより、医療従事者に対して的確かつ迅速な症状判断を促すことができるようになる。
【００５５】
また、オーバーラップさせるトレンドグラフとして、ショートトレンドグラフを用いたことにより、同一画面にトレンドグラフとカレント波形の両方を表示し易くなる。因みに、ショートトレンドとは、上述の実施の形態のように３０分の期間のトレンドや、それに近いトレンドのことを言う。ショートトレンドとは、例えば１時間未満のトレンドのことである。１時間以上のトレンドをオーバーラップさせてもよいが、１時間以上のトレンドは、比較的短い時間で起こった急激な変化が波形上で埋没してしまい、波形上に現れない場合が多い。よって、短時間での急激な変化がトレンド波形上に現れるショートトレンドをオーバーラップさせることがより好ましい。
【００５６】
また、同一画面に、オーバーラップされたトレンドグラフとともに、カレント波形を表示したことにより、オーバーラップされたトレンドグラフに基づいて大まかな症状判断を行い、それと同一画面に表示されたカレント波形に基づいて症状確認と詳細な症状判断を速やかに行うことができるようになる。但し、オーバーラップされたトレンドグラフと、カレント波形とを、必ずしも同一画面に表示する必要はなく、別画面に表示してもよい。
【００５７】
さらに、図２及び図３に示すように、オーバーラップさせたトレンドグラフの間の領域に色を付けて表示するようになっている。これにより、色付けされた帯状の領域が表示される。この結果、ユーザは、この帯状の領域の変化を見ることで、トレンドグラフ間の相対的な変化の様子をより容易に認識できるようになる。なお、図３では、最低血圧３０１と最高血圧３０２の間を色付けした場合が示されている。このようにすることで、最低血圧３０１と最高血圧３０２との差や、最低血圧３０１と最高血圧３０２の間に心拍数４０１が収まっているかなどを、ひと目で確認できる。なお、色付けするのは、最低血圧３０１と最高血圧３０２の間に限らない。
【００５８】
なお、上述の実施の形態では、生体情報モニタ１００がベッドサイドモニタである場合について述べたが、本発明は、生体情報モニタがセントラルモニタである場合にも適用可能である。具体的には、ベッドサイドモニタ（実施の形態における生体情報モニタ１００）の場合には、自装置でトレンドグラフを形成することによりトレンドグラフを取得したが、セントラルモニタの場合には、ベッドサイドモニタで形成したトレンドグラフ又は計測値をベッドサイドモニタから取得すればよい。いずれにしても、生体情報モニタは、複数種類の生体情報についての複数のトレンドグラフを得るトレンドグラフ取得部（ベッドサイドモニタの場合には、計測処理部１０２、記憶部１０３、トレンドグラフ形成部１０５に相当し、セントラルモニタの場合には、ベッドサイドモニタとの通信を行う通信部に相当する）を有し、このトレンドグラフ取得部で取得したトレンドグラフを用いて上述の実施の形態のような表示を行うようにすればよい。
【００５９】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００６０】
本発明は、トレンドグラフを表示する生体情報モニタに適用可能である。
【符号の説明】
【００６１】
１００  生体情報モニタ
１０１  コネクタ部
１０２  計測処理部
１０３  記憶部
１０４  カレント波形生成部
１０５  トレンドグラフ形成部
１０６  表示制御部
１０７  ディスプレイ
１０８  操作部
１０９  アラームインジケータ
２０１  カレント波形表示エリア
２０２  ショートトレンド表示エリア
２０２ａ、２０２ｂ  トレンドグラフオーバーラップ表示エリア
２０３  計測値表示エリア
２０４  メニューバー表示エリア
Ａ１  ポインタ
Ａ２  指定計測値
【図１】
2015029566.tif 000003
【図２】
2015029566.tif 000004
【図３】
2015029566.tif 000005